(57)【特許請求の範囲】
【請求項１】
回転源であるモータと、
動作モードを切替操作する操作部と前記操作部で設定された操作信号を基に前記モータを制御する制御回路の構成素子を含む所要の電子部品とを実装した基板と、
前記操作部に対応する位置に設けられた操作パネルと、
を有する充電インパクトドライバにおいて、
前記基板は側板部を有するケース部内に収容され、
該基板と前記操作パネルとが所要の組付構造となるように前記ケース内に前記操作パネルを挿入し、当該ケース内に滴下されて固化したポッティング材により前記基板と前記操作パネルとを一体化したことを特徴とする充電インパクトドライバ。
【請求項２】
上記基板に実装されて所要部分が上記操作パネルに臨み且つ少なくとも前記所要部分が上記ポッティング材への埋設を避けるべきタクトスイッチ及びＬＥＤを含む電子部品における少なくとも前記所要部分の周囲に、上記滴下の際におけるポッティング材を遮断する仕切壁を設けた
ことを特徴とする請求項１記載の充電インパクトドライバ。
【発明の詳細な説明】
【技術分野】
【０００１】
本発明は、充電インパクトドライバに関するものであり、特に、組付性と共に耐環境性を向上させるようにした充電インパクトドライバに関するものである。
【背景技術】
【０００２】
一般に、可搬式の電動工具である充電インパクトドライバには、モータの最大回転数等を制御する制御回路を実装した基板（制御基板）と、工具の動作モードを切換える操作部を含む操作パネルとが備えられ、該制御基板及び操作パネルが本体ハウジングに組付けられている。
【０００３】
これに関連する従来技術として、例えば、次のような可搬式電動工具が知られている。この従来技術は、制御回路を実装したプリント基板がハウジングにおけるグリップ下方側の前方突出部に配置され、動作モードを切換える操作部が前記表示設定部の領域内に設けられている（例えば、特許文献１参照）。
【先行技術文献】
【特許文献】
【０００４】
【特許文献１】特許第４１１１１７３号公報
【発明の概要】
【発明が解決しようとする課題】
【０００５】
特許文献１に記載の従来技術においては、動作モードを切換える操作部（外郭部）を、操作パネルとして独立して設け、制御回路を実装したプリント基板に分離されている。ところで、可搬式の充電インパクトドライバに組付けられるプリント基板等は、防塵、防湿等の耐環境性を高めることが求められるものであり、このためには、前記プリント基板等に対し通常、樹脂コーティング等が行われる。しかしながら、上記の場合は、制御回路を実装したプリント基板に対する操作部の組付工程と、樹脂コーティング工程とが別工程になる上、樹脂コーティング工程は手作業となって生産性の低下を招くことになる。
【０００６】
そこで、基板と操作パネルとを効率的に一体化して組付性と共に耐環境性も向上させるために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、回転源であるモータと、動作モードを切替操作する操作部と前記操作部で設定された操作信号を基に前記モータを制御する制御回路の構成素子を含む所要の電子部品とを実装した基板と、前記操作部に対応する位置に設けられた操作パネルと、を有する充電インパクトドライバにおいて、
前記基板は側板部を有するケース部内に収容され、該基板と前記操作パネルとが所要の組付構造となるように前記ケース内に前記操作パネルを挿入し、当該ケース内に滴下されて固化したポッティング材により前記基板と前記操作パネルとを一体化した充電インパクトドライバを提供する。
【０００８】
この構成によれば、基板と操作パネルとの組付け時に、基板を収容したケースに操作パネルを挿入し、ポッティング処理を施すことで該基板と操作パネルとが所要の組付構造で一体化されるとともに基板と操作パネルの所要部分がポッティング材であるエポキシ系、シリコーン系等の熱硬化性樹脂でコーティングされた構造となる。
【０００９】
請求項２記載の発明は、請求項１記載の発明において、上記基板に実装されて所要部分が上記操作パネルに臨み且つ少なくとも前記所要部分が上記ポッティング材への埋設を避けるべきタクトスイッチ及びＬＥＤを含む電子部品における少なくとも前記所要部分の周囲に、上記滴下の際におけるポッティング材を遮断する仕切壁を設けた充電インパクトドライバを提供する。
【００１０】
この構成によれば、基板上に実装されて所要部分が上記操作パネルに臨むタクトスイッチ及びＬＥＤ等の電子部品は、基板と操作パネルとが一体的に組付けられた後において、その機能上、前記所要部分が操作パネルから外部に対し顕在することが必要である。このため、これらの電子部品における少なくとも前記所要部分の周囲に仕切壁を設けておくことで、基板と操作パネルとの組付け時に、その電子部品における少なくとも前記所要部分がポッティング材中に埋設状態となることが避けられて所要部分が操作パネルから外部に対し顕在状態となる。
【発明の効果】
【００１１】
請求項１記載の発明は、基板と操作パネルとの組付け時に、ポッティング処理を施すのみで該基板と操作パネルとが効率的に一体化されるとともに所要部分が熱硬化性樹脂でコーティングされることで、防塵、防湿等の耐環境性が向上するという利点がある。
【００１２】
請求項２記載の発明は、請求項１記載の発明の効果に加えてさらに、タクトスイッチ及びＬＥＤ等の電子部品における少なくとも所要部分の周囲に仕切壁を設けておくことで、基板と操作パネルとの組付け時に、その電子部品における少なくとも所要部分がポッティング材中に埋設状態となることが避けられて当該所要部分が操作パネルから外部に対し顕在状態となり、これらの電子部品に対し、その機能を十分に発揮させることができるという利点がある。
【図面の簡単な説明】
【００１３】
図は本発明の実施例に係る充電インパクトドライバを示すものである。
【図１】充電インパクトドライバの内部構成を示す縦断面図。
【図２】基板を収容したケースを拡大して示す斜視図。
【図３】基板を収容したケースに操作パネルを挿入した状態を示す斜視図。
【図４】操作パネル部分の裏面を示す斜視図。
【発明を実施するための形態】
【００１４】
本発明は、基板と操作パネルとを効率的に一体化して組付性と共に耐環境性も向上させるという目的を達成するために、回転源であるモータと、動作モードを切替操作する操作部と前記操作部で設定された操作信号を基に前記モータを制御する制御回路の構成素子を含む所要の電子部品とを実装した基板と、前記操作部に対応する位置に設けられた操作パネルと、を有する充電インパクトドライバにおいて、前記基板は側板部を有するケース部内に収容され、該基板と前記操作パネルとが所要の組付構造となるように前記ケース内に前記操作パネルを挿入し、当該ケース内に滴下されて固化したポッティング材により前記基板と前記操作パネルとを一体化することにより実現した。
【実施例１】
【００１５】
以下、本発明の好適な実施例を図１乃至図４を参照して説明する。まず、本実施例に係る充電インパクトドライバの構成を説明する。図１に示すように、充電インパクトドライバ１は、ハウジング２におけるシリンダ状部２ａに、回転源であるモータ３と、遊星歯車４が備えられてモータ３の回転を減速伝達する駆動部５と、該駆動部５で設定された回転出力を出力する出力軸６の一部とが内装されている。前記シリンダ状部２ａから下方に延びるグリップ部２ｂの下端にはバッテリパック取付部２ｃが前方に突出するように形成され、該バッテリパック取付部２ｃにバッテリ７，…を収容するバッテリパック８が着脱自在に設けられている。
【００１６】
そして、前記バッテリパック取付部２ｃの部分に、当該充電インパクトドライバ１の動作モードを切替操作する操作部を備えた操作パネル９と、前記操作部で設定された操作信号を基に前記モータ３を制御する図示しない制御回路の構成素子を含む所要の電子部品を実装したプリント基板１０とが組込まれている。該プリント基板１０上の制御回路等からは、シリンダ状部２ａ内のモータ３等に向けて所要の信号線１１が立ち上げられている。
【００１７】
図２に示すように、前記プリント基板１０は側板部１２を有するケース１９に収容され、該ケース１９は低高のケース状化されている。前記プリント基板１０には、前記のように図示しない制御回路が実装されている。またプリント基板１０における前記操作パネル９が組付けられる一方の側（図の左側）には、２個のタクトスイッチ１４，・と、該２個のタクトスイッチ１４，・間に４個のＬＥＤ１５，…が所要の間隔をおいて一列に実装されている。
【００１８】
２個のタクトスイッチ１４，・は前記操作部として機能し、４個のＬＥＤ１５，…は切替えられた動作モードや前記バッテリ７，…の残量等の表示素子として機能する。タクトスイッチ１４，・及びＬＥＤ１５，…は、それぞれ、このような機能を有するものであるため、その所要部分、即ちタクトスイッチ１４，・について言えば、その駆動ピン１４ａが駆動可能に外部に対し顕在することが必要であり、またＬＥＤ１５，…について言えば、その発光面が外部に対し顕在状態となることが必要である。
【００１９】
図３はケース１９に収容されたプリント基板１０内に、前記操作パネル９が所要の組付構造となるように挿入された状態を示している。この組付態様において、前記２個のタクトスイッチ１４，・における各駆動ピン１４ａは、それぞれ丸孔１６の部分から駆動可能に外部に対し顕在し、前記４個のＬＥＤ１５，…における各発光面は、角孔１７の部分から外部に対し顕在状態となっている。
【００２０】
プリント基板１０と操作パネル９とは、このような所要の組付態様において該両者を一体化するため、後述するようにポッティング処理が行われる。このポッティング処理の際、タクトスイッチ１４，・については、駆動ピン１４ａの部分にポッティング材が流れないように、前記丸孔１６の下端側内周縁１６ａ（図４参照）がタクトスイッチ１４の筐体部１４ｂ上面に密接する。したがって、タクトスイッチ１４の部分においては、丸孔１６の内周面がポッティング処理の際にポッティング材を遮断する仕切壁となる。
【００２１】
また、各ＬＥＤ１５の部分においては、ポッティング処理の際に発光面の部分にポッティング材が流れないように、前記角孔１７から下方に延在した角筒１８（図４参照）の下端が、プリント基板１０面に密接する。したがって、各ＬＥＤ１５の部分においては、各角筒１８がポッティング処理の際にポッティング材を遮断する仕切壁となる。さらに、操作パネル９上面の周囲にも、低高の仕切壁９ａが立設されている（図３参照）。
【００２２】
上記のような準備が行われた状態において、ポッティング処理が行われ、ケース化されたプリント基板１０内に図示しないポッティング材が滴下されて固化し、プリント基板１０と操作パネル９とは、所要の組付構造で一体化されている。該一体化後、操作パネル９の上面には、タクトスイッチ１４，・における各駆動ピン１４ａ上部の丸孔１６の部分及びＬＥＤ１５，…における各発光面上部の角孔１７の部分がそれぞれ透明で、可撓性を有する図示しない薄いプラスチックシートが貼設される。
【００２３】
次に、上述のように構成された充電インパクトドライバの作用を説明する。プリント基板１０と操作パネル９との組付け時に、ケース１９に収容されたプリント基板１０内に操作パネル９を所要の組付構造となるように挿入し、ケース１９内にポッティング材を滴下してポッティング処理を施すことで該プリント基板１０と操作パネル９とが所要の組付構造で一体化される。また、これとともにプリント基板１０上に実装された制御回路の構成素子を含む所要の電子部品及び操作部として機能するタクトスイッチ１４，・における筐体部１４ｂ等の部分がポッティング材であるエポキシ系、シリコーン系等の熱硬化性樹脂でコーティングされる。
【００２４】
このポッティング処理時に、タクトスイッチ１４，・における駆動ピン１４ａに対しては、丸孔１６の内周面がポッティング材を遮断する仕切壁となって当該駆動ピン１４ａがポッティング材中に埋設状態となることが避けられる。また、各ＬＥＤ１５における発光面に対しては、各角筒１８が仕切壁となって当該発光面がポッティング材中に埋設状態となることが避けられる。
【００２５】
上述したように、本実施例に係る充電インパクトドライバにおいては、プリント基板１０と操作パネル９との組付け時に、ポッティング処理を施すのみで該プリント基板１０と操作パネル９とが効率的に一体化されるとともにプリント基板１０上に実装された所要の電子部品等がポッティング材である熱硬化性樹脂でコーティングされることで、防塵、防湿等の耐環境性が向上する。
【００２６】
タクトスイッチ１４，・における駆動ピン１４ａ及びＬＥＤ１５，…における発光面等の各所要部分の周囲にはそれぞれ仕切壁を設けておくことで、プリント基板１０と操作パネル９との組付け時に、その各所要部分がポッティング材中に埋設状態となることが避けられて各所要部分が操作パネル９から外部に対し顕在状態となり、タクトスイッチ１４，・及びＬＥＤ１５，…等の電子部品に対し、その機能を十分に発揮させることができる。
【００２７】
なお、本発明は、本発明の精神を逸脱しない限り種々の改変をなすことができ、そして、本発明が該改変されたものにも及ぶことは当然である。
【産業上の利用可能性】
【００２８】
所要の電子部品を実装した基板と操作パネルとを備え、該基板と操作パネルとを効率的に一体化して組付性と共に耐環境性も向上させることが不可欠な可般式電動工具に適用することが可能である。
【符号の説明】
【００２９】
１        充電インパクトドライバ
２        ハウジング
３        モータ
４        遊星歯車
５        駆動部
６        出力軸
７        バッテリ
８        バッテリパック
９        操作パネル
１０        プリント基板（基板）
１１        信号線
１２        側板部
１４        タクトスイッチ
１５        ＬＥＤ
１６        丸孔
１６ａ 丸孔１６の内周縁（面）（ポッティング材遮断仕切壁）
１７        角孔
１８        角筒（ポッティング材遮断仕切壁）
１９        ケース
【図１】
0005515736.tif 000002
【図２】
0005515736.tif 000003
【図３】
0005515736.tif 000004
【図４】
0005515736.tif 000005